(57)【要約】【課題】      装身具を容易に着脱でき、装身具を使用しているときには、離脱を防止するようにする。【解決手段】  第１の線状部材連結部３から延伸された第１の磁石収納部２の第１の線状部材連結部３と接した側と反対側の側壁に第１の係止部４を設けた第１の筐体１ａと、第２の線状部材連結部６から延伸された第２の磁石収納部５の第２の線状部材連結部６と接した側の側壁が第１の係止部４によって係止された状態で、第１の係止部４を係止する第２の係止部６ｂを第２の線状部材連結部６に設けた第２の筐体１ｂと、磁石収納部２，５に収納される磁石８，９とを備えるので、第１の係止部４に第２の係止部６ｂがぶつからない大部分の位置で、装身具用留め具１が磁力により吸着され、装身具の使用時には、第１の係止部４が第２の磁石収納部５を係止し、第２の係止部６ｂが第１の係止部４を係止する。【選択図】      図１
2006109954.tif 000002
【特許請求の範囲】
【請求項１】
第１の磁石と、
前記第１の磁石と磁力によって吸着する第２の磁石と、
線状部材の一端が連結される第１の線状部材連結部と、前記第１の線状部材連結部から延伸され、前記第１の磁石を収納する第１の磁石収納部と、前記第１の磁石収納部の前記第１の線状部材連結部と接した側と反対側の側壁に設けた第１の係止部とを備えた第１の筐体と、
前記線状部材の他端が連結される第２の線状部材連結部と、前記第２の線状部材連結部から延伸され、前記第２の磁石を収納する第２の磁石収納部とを備えた第２の筐体とを備え、
前記第２の線状部材連結部は、前記第１の磁石と前記第２の磁石とが磁力によって吸着し、且つ、前記第２の磁石収納部の前記第２の線状部材連結部と接した側の側壁が前記第１の係止部によって係止された状態で、前記第１の係止部を係止する第２の係止部を備えたことを特徴とする装身具用留め具。
【請求項２】
前記第１の磁石収納部の側壁及び前記第２の磁石収納部の側壁は、円筒状であることを特徴とする請求項１に記載の装身具用留め具。
【請求項３】
前記第１の磁石及び前記第２の磁石は、少なくとも一つの平面が円形であることを特徴とする請求項１又は請求項２に記載の装身具用留め具。
【請求項４】
前記第１の線状部材連結部は、前記第２の磁石収納部と対向する部分に切り欠き部を設けたことを特徴とする請求項１乃至請求項３の何れか一項に記載の装身具用留め具。
【請求項５】
前記第２の筐体は、前記第２の磁石収納部の前記第２の線状部材連結部と接した側と反対側の側壁に前記切り欠き部と略同じ大きさの凸部を設けたことを特徴とする請求項４に記載の装身具用留め具。
【請求項６】
磁石と、
線状部材の一端が連結される第１の線状部材連結部と、前記第１の線状部材連結部から延伸された第１の吸着部と、前記第１の吸着部の前記第１の線状部材連結部と接した側と反対側の側壁に設けた第１の係止部とを備えた第１の筐体と、
前記線状部材の他端が連結される第２の線状部材連結部と、前記第２の線状部材連結部から延伸された第２の吸着部とを備えた第２の筐体とを備え、
前記第２の線状部材連結部は、前記第１の吸着部と前記第２の吸着部とが吸着し、且つ、前記第２の吸着部の前記第２の線状部材連結部と接した側の側壁が前記第１の係止部によって係止された状態で、前記第１の係止部を係止する第２の係止部を備え、
前記第１の吸着部又は前記第２の吸着部の一方に前記磁石を収納し、他方を磁性材料により構成したことを特徴とする装身具用留め具。
【発明の詳細な説明】
【技術分野】
【０００１】
本発明は、ネックレスやブレスレット等のチェーンや紐等の線状部材を連結するための装身具用留め具に関するものである。
【背景技術】
【０００２】
従来、ネックレスやブレスレットなどの装身具は、チェーンや紐などの線状部材によって首や腕などに装着されていた。このような線状部材の端部を着脱する場合には、機械式の留め具などが採用されていた。機械式の留め具としては、例えば、留め具の一方の輪を開いて留め具の他方の輪を挿入するものなどがあった。しかしながら、このような機械式の留め具を使用した場合、留め具が小さいため、ユーザが留め具を扱い難くなり、装身具を着脱し難くなってしまうという問題があった。特に、ネックレスなどに機械式の留め具を使用した場合には、留め具が首の後ろにあって見えないし、ブレスレットなどに機械式の留め具を使用した場合には、片手で留め具を操作しなければならないので、極めて装身具を着脱し難くなってしまうという問題があった。
【０００３】
このような不都合に鑑みて、装身具用の留め具として、線状部材の端部に磁石を取り付け、磁石の磁力によって端部を吸着するものがあった。しかしながら、このような磁石を用いた留め具では、装身具を装着する際には、簡単に留め具を付けることができるが、装身具を使用している際には、磁力以上の力を加えると留め具が簡単に離脱してしまうという問題があった。
【０００４】
また、線状部材の端部を連結する他の方法として、Ｌ字状のスリットを側壁に形成した雌金具と、スリットに挿入可能な環を備えた雄金具とによって構成され、雄金具の台座に磁石を取り付けた留め具が知られている（例えば特許文献１）。
【特許文献１】登録実用新案第３０５５８０５号公報
【０００５】
しかしながら、特許文献１に記載した技術によれば、磁石の働きによって雄金具及び雌金具は吸着されるものの、雄金具の環を雌金具のＬ字状のスリットに挿入しなければならないので、ユーザは雌金具のＬ字状の小さなスリットに雄金具の環を位置合わせして挿入しなければならなくなり、留め具の装着がし難くなってしまうという問題があった。
【発明の開示】
【発明が解決しようとする課題】
【０００６】
本発明は、前述した問題を解決するために成されたものであり、装身具を装着する場合や装身具を取り外す場合には、留め具を容易に着脱可能とし、装身具を使用している場合には、留め具の離脱を確実に防止できるようにすることを目的とする。
【課題を解決するための手段】
【０００７】
前述した課題を解決するために、本発明では、線状部材の一端を連結する第１の線状部材連結部と、そこから延伸された第１の磁石収納部と、第１の磁石収納部の第１の線状部材連結部と接した側と反対側の側壁に設けた第１の係止部とを備えた第１の筐体、線状部材の他端を連結する第２の線状部材連結部と、そこから延伸された第２の磁石収納部とを備えた第２の筐体、第１の磁石収納部及び第２の磁石収納部にそれぞれ収納され、磁力によって吸着する磁石を備え、第２の線状部材連結部は、第２の磁石収納部の第２の線状部材連結部と接した側の側壁が第１の係止部によって係止された状態で、第１の係止部を係止する第２の係止部を備えるようにしている。
【発明の効果】
【０００８】
上記のように構成した装身具用留め具によれば、第１の磁石収納部の側壁に設けた第１の係止部に第２の係止部がぶつからない大部分の位置で、第１の筐体及び第２の筐体が磁力により吸着されるので、第１の筐体及び第２の筐体を位置合わせする必要がほとんどなくなり、装身具を簡単に装着することができる。また、第１の筐体及び第２の筐体を位置合わせする必要が生じた場合でも、第１の筐体及び第２の筐体が磁力により吸着された状態で、第１の筐体及び第２の筐体の一方又は両方を少し回転させるだけで位置合わせすることができる。また、装身具を使用している場合には、第１の係止部と第２の係止部とが係合するので、留め具の離脱を確実に防止することができる。
【発明を実施するための最良の形態】
【０００９】
以下、本発明の実施形態を図面に基づいて説明する。図１（ａ）は、本実施形態による装身具用留め具１の構成例を示す正面図であり、図１（ｂ）は、本実施形態による装身具用留め具１の構成例を示す平面図である。また、図２（ａ）は、本実施形態の装身具用留め具１の第１の筐体１ａの構成例を示す正面図であり、図２（ｂ）は、本実施形態の装身具用留め具１の第１の筐体１ａの構成例を示す平面図である。また、図３（ａ）は、本実施形態の装身具用留め具１の第２の筐体１ｂの構成例を示す正面図であり、図３（ｂ）は、本実施形態の装身具用留め具１の第２の筐体１ｂの構成例を示す底面図である。
【００１０】
本実施形態の装身具用留め具１は、第１の筐体１ａ及び第２の筐体１ｂにより構成されている。第１の筐体１ａは、第１の磁石収納部２と、第１の線状部材連結部３と、第１の係止部４とにより構成されている。そして、第１の磁石収納部２は、図２（ａ）中における下方の円形の底板部分に対して円筒状の側壁を立設して成り、内部に第１の磁石８を収納している。第１の磁石８は、円柱状であり、円形の平面部分が表面に露出している。第１の磁石８の露出した平面部分は、Ｎ極又はＳ極の何れかの極性を有している。ここで、第１の筐体１ａを構成する第１の磁石収納部２、第１の線状部材連結部３、第１の係止部４は、一体成形であっても良いし、別体であっても良い。
【００１１】
第１の線状部材連結部３は、例えば板状であり、その中央に貫通孔が設けられている。貫通孔には、線状部材として、例えばチェーン１００が連結されている。ここで、線状部材とは、チェーンなどの鎖状の部材や紐状の部材、ベルトなどの帯状の部材などを含み、端部同士を連結することで環状を形成するものであれば何でも良い。
【００１２】
また、第１の線状部材連結部３は、第１の磁石収納部２の側壁の一端から延伸されている。また、第１の線状部材連結部３は、図２（ａ）において、第１の磁石収納部２の側壁の一端に接する部分の上方に切り欠き部３ａを備えている。ここで、切り欠き部３ａは、第１の線状部材連結部３の第１の磁石収納部２と接していない部分を深さｄ１、幅ｗ１に渡って切り欠いた部分を指している。なお、第１の線状部材連結部３は、図２（ａ）において、第１の磁石収納部２の側壁の一端に接する部分を突出させることによって切り欠き部３ａを形成するようにしても良い。
【００１３】
第１の係止部４は、第１の磁石収納部２の側壁の第１の線状部材連結部３と接する部分の反対側に設けられている。また、第１の係止部４は、第１の磁石収納部２から図２（ａ）中における上方向に突出している。また、第１の係止部４は、第１の磁石収納部２の円筒状の側壁に沿って曲面を有している。
【００１４】
第２の筐体１ｂは、第２の磁石収納部５と、第２の線状部材連結部６と、凸部７とにより構成されている。そして、第２の磁石収納部５は、図３（ａ）における上方の円形の天板部分に対して円筒状の側壁を立設して成り、図３（ｂ）に示すように、内部に第２の磁石９を収納している。第２の磁石９は、円柱状であり、円形の平面部分が表面に露出している。第２の磁石９の露出した平面部分は、第１の磁石８の露出した表面がＮ極である場合にはＳ極とし、Ｓ極である場合にはＮ極とする。ここで、第２の筐体１ｂを構成する第２の磁石収納部５、第２の線状部材連結部６、凸部７は、一体成形であっても良いし、別体であっても良い。
【００１５】
第２の線状部材連結部６は、例えば板状であり、その中央に貫通孔が設けられている。貫通孔には、チェーン１００が連結されている。また、第２の線状部材連結部６は、第２の磁石収納部５の側壁の一端から延伸されている。また、第２の線状部材連結部６は、図３（ａ）において、第２の磁石収納部５の側壁の一端に接する部分の下方に深さｄ２、幅ｗ２の凹部６ａを備えている。ここで、凹部６ａの深さｄ２及び幅ｗ２は、第１の係止部４の突出した部分の断面の高さ及び厚みと略同じである。凹部６ａには、第１の筐体１ａ及び第２の筐体１ｂを連結したときに、第１の係止部４の突出した部分が係合する。
【００１６】
また、第２の線状部材連結部６は、図３（ａ）において、凹部６ａの下方に第２の係止部６ｂを備えている。第２の係止部６ｂは、第１の磁石収納部２に対向し、第１の筐体１ａ及び第２の筐体１ｂを連結したときに、第１の係止部４を係止する。なお、第２の係止部６ｂは、第２の線状部材６と一体成形されているが、別体であっても良い。
【００１７】
凸部７は、第２の磁石収納部５の側壁の第２の線状部材連結部６と接する部分の反対側に設けられている。また、凸部７は、第１の線状部材連結部３の厚みと略同じ厚みｔ１を有しており、第１の筐体１ａの切り欠き部３ａの深さｄ１と略同じ高さｈ１及び切り欠き部３ａの幅ｗ１と略同じ幅ｗ３を有している。また、凸部７は、第１の筐体１ａ及び第２の筐体１ｂを連結したときに、切り欠き部３ａにちょうど嵌る。
【００１８】
次に、本実施形態による装身具用留め具１の取り付け方法を説明する。図４（ａ）は、本実施形態の装身具用留め具１の取り付け方法の一例を示す正面図であり、図４（ｂ）は、本実施形態の装身具用留め具１の取り付け方法の一例を示す平面図である。
【００１９】
ユーザは、一方の手、例えば左手によって第１の筐体１ａの第１の線状部材連結部３及びチェーン１００の一端の両方又は何れか一方を持つ。また、ユーザは、他方の手、例えば右手によって第２の筐体１ｂの第２の線状部材連結部６及びチェーン１００の他端の両方又は何れか一方を持つ。そして、ユーザは、装身具用留め具１の連結部位（例えば、装身具がネックレスなどの場合には、ユーザの首の後ろなど）に第１の筐体１ａ及び第２の筐体１ｂを持っていく。
【００２０】
ユーザは、第１の筐体１ａの第１の磁石収納部２に収納された第１の磁石８の表面と、第２の筐体１ｂの第２の磁石収納部５に収納された第２の磁石９の表面とが向かい合うように、第１の筐体１ａと第２の筐体１ｂとを近付ける。ここで、第１の磁石８の表面と第２の磁石９の表面とは、異なる極性であるから、ユーザが第１の筐体１ａ及び第２の筐体１ｂを近付けて手を離すだけで、第１の磁石８の表面と第２の磁石９の表面とが吸着する。ここで、第１の磁石８の表面及び第２の磁石９の表面が円形で、極性が均一であるから、同心上に吸着される。そのため、第１の筐体１ａと第２の筐体１ｂとがずれることはほとんどない。
【００２１】
ほとんどの場合には、手を離すだけで、第２の筐体１ｂの凸部７及び第２の係止部６ｂと第１の筐体１ａの第１の係止部４とはぶつからない状態で吸着する。何故ならば、凸部７及び第２の係止部６ｂがぶつかる第１の係止部４が第１の磁石収納部２の側壁の一部分のみにしか存在しないからである。これによって、第１の筐体１ａと第２の筐体１ｂとは図４に示す状態となる。ただし、第２の筐体１ｂの凸部７及び第２の係止部６ｂと第１の筐体１ａの第１の係止部４とがぶつかった状態で吸着することが稀にある。そのときには、第１の筐体１ａ及び第２の筐体１ｂのどちらか一方を回転させて図４に示す状態にする。この場合、第１の筐体１ａ及び第２の筐体１ｂが吸着した状態で少し回転させるだけで良いので、容易に位置合わせを行うことができる。
【００２２】
ここで、二つの線状部材連結部３，６は、第２の筐体１ｂの凸部７及び第２の係止部６ｂと第１の筐体１ａの第１の係止部４とがぶつからない状態で第１の筐体１ａと第２の筐体１ｂとが吸着されるための所定の角度を有している。二つの線状部材連結部３，６が形成する所定の角度の範囲は、図５に示すような範囲となる。例えば、図５（ａ）に示すように、第２の筐体１ｂの凸部７が第１の筐体１ａの第１の係止部４の一端Ｘにぶつからない角度から、第２の筐体１ｂの第２の係止部６ｂが第１の筐体１ａの第１の係止部４の他端Ｙにぶつからない角度までが所定の角度の範囲となる。また、図５（ｂ）に示すように、第２の筐体１ｂの第２の係止部６ｂが第１の筐体１ａの第１の係止部４の一端Ｘにぶつからない角度から、第２の筐体１ｂの凸部７が第１の筐体１ａの第１の係止部４の他端Ｙにぶつからない角度までが所定の角度の範囲となる。このように、所定の角度は、第１の係止部４の第１の磁石収納部２の側壁に沿った周方向の長さが長いほど小さくなり、第１の係止部４の長さが短いほど大きくなる。
【００２３】
ユーザは、図４に示すように、第１の磁石８及び第２の磁石９が吸着した状態で、第２の筐体１ｂを矢印Ａの方向に回転させる。ここで、第１の磁石８及び第２の磁石９の表面が円形であるため、第２の筐体１ｂを回転させても磁力が均一となり、第１の筐体１ａ及び第２の筐体１ｂは安定して吸着する。また、第１の磁石収納部２及び第２の磁石収納部６が円筒状の側壁を有し、且つ、第１の係止部４も円筒状の側壁に沿った形状を有しているため、第２の筐体１ｂはスムーズに回転する。なお、本実施形態では、第２の筐体１ｂを回転させているが、これに限定されない。例えば、第１の筐体１ａを矢印Ａと反対方向に回転させても良いし、第１の筐体１ａ及び第２の筐体１ｂの両方を回転させても良い。
【００２４】
第２の筐体１ｂを回転させて、二つの線状部材連結部３，６が略一直線上になると、装身具用留め具１は、図１に示すような状態となり、連結が完了する。ここで、装身具用留め具１に連結されたチェーン１００は、首や腕などに巻かれるとその重みによって自然に略一直線上になることが多い。そのため、二つの線状部材連結部３，６は、チェーン１００によって反対方向に引っ張られることにより、ユーザが第２の筐体１ｂを回転させなくても略一直線上になることがある。ここで、二つの線状部材連結部３，６の略一直線上となる範囲は、図６に示すように、第２の線状部材連結部６（正確には第２の係止部６ｂ）が第１の係止部４の一端Ｘにぶつかる角度から第２の線状部材連結部６が第１の係止部４の他端Ｙにぶつかる角度までを指す。
【００２５】
二つの線状部材連結部３，６が略一直線上になっていると、第１の筐体１ａが図１（ａ）において左側に引っ張られ、第２の筐体１ｂが図１（ａ）において右側に引っ張られたとしても、第１の磁石８及び第２の磁石９の磁力と、第１の筐体１ａの第１の係止部４が第２の筐体１ｂの第２の磁石収納部５の側壁を係止する力とによって、装身具用留め具１が外れることがなくなる。また、装身具用留め具１に何らかの力が加わり、第１の筐体１ａが図１（ａ）において下側に引っ張られ、第２の筐体１ｂが図１（ａ）において上側に引っ張られたとしても、第１の磁石８及び第２の磁石９の磁力と、第２の筐体１ｂの第２の係止部６ｂが第１の筐体１ａの第１の係止部４を係止する力とによって、装身具用留め具１が外れることがなくなる。また、二つの線状部材連結部３，６が略一直線上になっている状態では、凸部７が切り欠き部３ａに嵌って、切り欠き部３ａの部分を塞ぐことができるので、切り欠き部３ａが装身具としての美観を損ねることがなくなる。
【００２６】
次に、本実施形態による装身具用留め具１の取り外し方法を説明する。図７は、本実施形態による装身具用留め具１の取り外し方法の一例を示す図である。
【００２７】
図１に示すような形で連結された装身具用留め具１を取り外す場合には、ユーザは、第１の磁石８及び第２の磁石９が吸着した状態で、例えば第２の筐体１ｂを図４の状態となるように回転させる。このとき、二つの線状部材連結部３，６が形成する角度が図５に示す所定の角度の範囲となる状態まで回転させる。装身具用留め具１は、二つの線状部材連結部３，６が所定の角度の範囲内にあるときに取り外すことができる。
【００２８】
ユーザは、二つの線状部材連結部３，６が所定の角度の範囲内にあるときに、第１の磁石８及び第２の磁石９を引き離すように第１の筐体１ａ及び第２の筐体１ｂを動かす。ここで、第１の磁石８及び第２の磁石９が吸着した状態で第１の筐体１ａと第２の筐体１ｂとを引き離す方向の力を加えた（図４（ａ）にて第１の筐体１ａを下方に、第２の筐体１ｂを上方に引っ張るような力を加えた）としても、第１の磁石８及び第２の磁石９の吸着力が強力であると容易に取り外すことができない。これに対して、図７に示すように、第２の筐体１ｂを矢印Ｂ方向に捻るようにして、第１の筐体１ａから第２の筐体１ｂを取り外すと、比較的容易に取り外すことができる。本実施形態では、第１の筐体１ａの第１の線状部材連結部３に切り欠き部３ａを設けているので、第２の筐体１ｂを矢印Ｂ方向に捻った場合でも、第２の磁石収納部５が第１の線状部材連結部３にぶつかることがなく、捻って取り外すことができる。
【００２９】
以上、詳しく説明したように、本実施形態の装身具用留め具１は、チェーン１００の一端を連結する第１の線状部材連結部３から延伸された第１の磁石収納部２の第１の線状部材連結部３と接した側と反対側の側壁に第１の係止部４を設けた第１の筐体１ａを備える。また、チェーン１００の他端を連結する第２の線状部材連結部６から延伸された第２の磁石収納部５の第２の線状部材連結部６と接した側の側壁が第１の係止部４によって係止された状態で、第１の係止部４を係止する第２の係止部６ｂとを設けた第２の筐体１ｂを備える。そして、第１の磁石収納部２及び第２の磁石収納部５にそれぞれ収納され、磁力によって吸着する磁石８，９とを備える。
【００３０】
これにより、第１の磁石収納部２の側壁に設けた第１の係止部４に第２の係止部６ｂ及び凸部７がぶつからない大部分の位置で、第１の筐体１ａ及び第２の筐体１ｂが磁力により吸着されるので、第１の筐体１ａ及び第２の筐体１ｂをほとんど位置合わせすることなく、装身具を簡単に装着することができる。また、第１の筐体１ａ及び第２の筐体１ｂを位置合わせする必要が生じた場合でも、第１の筐体１ａ及び第２の筐体１ｂが磁力により吸着された状態で、第１の筐体１ａ及び第２の筐体１ｂの一方又は両方を少し回転させるだけで位置合わせすることができる。
【００３１】
また、装身具を使用している場合には、二つの線状部材連結部３，６を略一直線上となるように動かすことにより、第１の係止部４が第２の磁石収納部５の側壁を係止し、第２の係止部６ｂが第１の係止部４を係止するので、装身具用留め具１の離脱を確実に防止することができる。また、切り欠き部３ａがあるので、装身具を取り外す場合には、二つの線状部材連結部３，６が所定の角度となる状態で、第２の筐体１ｂを捻ることができ、磁力の抵抗を受けずに装身具用留め具１を容易に取り外すことができる。
【００３２】
なお、前記実施形態では、第１の筐体１ａ及び第２の筐体１ｂの両方に磁石収納部２，５を設けているが、これに限定されない。例えば、第１の筐体１ａ又は第２の筐体１ｂの一方に磁石収納部を設け、他方に円板状の磁性部材（特許請求の範囲の吸着部に該当する）を設けるようにしても良い。これにより装身具用留め具１に使用される磁石の量を削減することができる。これに対して前記実施形態では、第１の筐体１ａ及び第２の筐体１ｂの両方に磁石を収納しているので、磁力による吸着力を増すことができ、装身具用留め具１をより簡単に連結することができる。
【００３３】
また、前記実施形態では、第１の磁石８及び第２の磁石９は表面を露出しているが、これに限定されない。例えば、磁石収納部によって表面を覆うようにしても良い。また、磁石収納部とは別の材料によって表面を覆うようにしても良い。これにより、前記実施形態よりも磁石が磁石収納部から脱落し難くすることができる。
【００３４】
また、前記実施形態では、第１の磁石収納部２及び第２の磁石収納部５は、磁力によって吸着される反対側の面を円形の平面としているがこれに限定されない。例えば、円形の平面部分に宝石などを埋め込んでも良いし、第１の磁石収納部２及び第２の磁石収納部５は、第１の係止部４や凸部７、二つの線状部材連結部３，６と接する部分以外の形状をどのような形状としても良い。
【００３５】
また、前記実施形態では、第１の磁石収納部２及び第２の磁石収納部５は、円筒形の形状としているが、これに限定されない。例えば、図８に示すように、装身具用留め具２１は、略半球状の第１の磁石収納部２２を有する第１の筐体２１ａと、略半球状の第２の磁石収納部２５を有する第２の筐体２１ｂとにより構成されるようにしても良い。
【００３６】
また、前記実施形態では、第１の磁石収納部２及び第２の磁石収納部５は、円筒形の形状としているが、これに限定されない。例えば、多角形の筒状の形状や楕円の筒状、星型の筒状など様々な形状であっても良い。
【００３７】
また、前記実施形態では、第１の線状部材連結部３及び第２の線状部材連結部６は、チェーン１００との連結部の近辺において丸みを帯びた板状であるが、これに限定されない。また、チェーン１００を連結するための貫通孔の形状及び方向もこれに限定されない。
【００３８】
また、前記実施形態では、第１の磁石８及び第２の磁石を円柱状としているが、これに限定されない。例えば、半球状や四角柱状など様々な形状であっても良い。
【００３９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４０】
本発明は、チェーンや紐などの線状部材を連結するための装身具用留め具に有用である。
【図面の簡単な説明】
【００４１】
【図１】本実施形態による装身具用留め具の構成例を示す図である。
【図２】本実施形態による装身具用留め具の第１の筐体の構成例を示す図である。
【図３】本実施形態による装身具用留め具の第２の筐体の構成例を示す図である。
【図４】本実施形態による装身具用留め具の取り付け方法の一例を示す図である。
【図５】本実施形態による装身具用留め具の取り付け及び取り外し時の線状部材連結部の角度の範囲を示す図である。
【図６】本実施形態による装身具用留め具の連結時の線状部材連結部の略一直線上の範囲を示す図である。
【図７】本実施形態による装身具用留め具の取り外し方法の一例を示す図である。
【図８】本実施形態による装身具用留め具の変形例を示す図である。
【符号の説明】
【００４２】
１    装身具用留め具
１ａ    第１の筐体
１ｂ    第２の筐体
２    第１の磁石収納部
３    第１の線状部材連結部
３ａ    切り欠き部
４    第１の係止部
５    第２の磁石収納部
６    第２の線状部材連結部
６ａ    凹部
６ｂ    第２の係止部
７    凸部
８    第１の磁石
９    第２の磁石
１００  チェーン
【図１】
2006109954.tif 000003
【図２】
2006109954.tif 000004
【図３】
2006109954.tif 000005
【図４】
2006109954.tif 000006
【図５】
2006109954.tif 000007
【図６】
2006109954.tif 000008
【図７】
2006109954.tif 000009
【図８】
2006109954.tif 000010